(57)【要約】【課題】ユーザ自身の発話音声が周囲に漏れず、他人に聞き取れない程度に抑圧することができるボイスキャンセリング装置を提供する。【解決手段】人の口の周辺に配置され、発話音声を抑制するボイスキャンセリング装置であって、発声方向口側に向かって、発声された第１の音声信号を入力するマイクと、発声方向外側に向かって、第２の音声信号を出力するスピーカと、マイクから第１の音声信号を入力し、第１の音声信号を逆位相化した第２の音声信号を生成し、第２の音声信号をスピーカへ出力する信号処理手段とを有する。また、相互に逆向きに設置されたマイクとスピーカとの間の距離ｄが、マイクに第１の音声信号が入力され、信号処理手段を介して第２の音声信号がスピーカから出力されるまでの入出力遅延時間Ｔに、音波速度Ｖを乗算した距離Ｄよりも短くなるように設置される。【選択図】図１
2015187694.tif 000002
【特許請求の範囲】
【請求項１】
人の口の周辺に配置され、発話音声を抑制するボイスキャンセリング装置であって、
発声方向口側に向かって、発声された第１の音声信号を入力するマイクと、
発声方向外側に向かって、第２の音声信号を出力するスピーカと、
前記マイクから第１の音声信号を入力し、第１の音声信号を逆位相化した第２の音声信号を生成し、第２の音声信号を前記スピーカへ出力する信号処理手段と
を有することを特徴とするボイスキャンセリング装置。
【請求項２】
相互に逆向きに設置された前記マイクと前記スピーカとの間の距離ｄが、前記マイクに第１の音声信号が入力され、前記信号処理手段を介して第２の音声信号が前記スピーカから出力されるまでの入出力遅延時間Ｔに、音波速度Ｖを乗算した距離Ｄよりも短くなる
ように設置されることを特徴とする請求項１に記載のボイスキャンセリング装置。
【請求項３】
前記信号処理手段は、遅延を生じる帯域フィルタを備えることなく、距離ｄ＜距離Ｄとなる入出力遅延時間Ｔを達成する高サンプリングレートで、Ａ／Ｄ変換処理と逆位相化処理とＤ／Ａ変換処理とを実行する
ことを特徴する請求項２に記載のボイスキャンセリング装置。
【請求項４】
前記信号処理手段は、第１の音声信号に音声信号特性Ｗを畳み込むことによって第２の音声信号を生成し、
当該ボイスキャンセリング装置に、１つ以上のＮ個の前記スピーカが、口を中心として弧状に設置されており、
前記音声伝達特性Ｗは、口から放射方向外側に離れた任意面の複数のＭ個の前記任意面の測定マイクを用いて、Ｍ＝Ｎの関係にある場合、以下の式によって算出される
Ｗ＝−Ｇ−Ｇ０
Ｇ−任意面の測定マイクが、当該ボイスキャンセリング装置のスピーカから
出力された音声信号を収音した際の音声伝達特性の逆行列
Ｇ０任意面の測定マイクが、人の口から発声された音声信号を収音した際の
音声伝達特性の転置行列
ことを特徴とする請求項１から３のいずれか１項に記載のボイスキャンセリング装置。
【請求項５】
前記信号処理手段は、第１の音声信号に音声信号特性Ｗを畳み込むことによって第２の音声信号を生成し、
当該ボイスキャンセリング装置に、１つ以上のＮ個の前記スピーカが、口を中心として弧状に設置されており、
前記音声伝達特性Ｗは、口から放射方向外側に離れた任意面の複数のＭ個の前記任意面の測定マイクを用いて、Ｍ＞Ｎの関係にある場合、以下の式によって算出される
Ｗ＝−Ｇ＋Ｇ０
Ｇ＋任意面の測定マイクが、当該ボイスキャンセリング装置のスピーカから
出力された音声信号を収音した際の音声伝達特性の
Moore-Penroseの疑似逆行列
Ｇ０任意面の測定マイクが、人の口から発声された音声信号を収音した際の
音声伝達特性の転置行列
ことを特徴とする請求項１から３のいずれか１項に記載のボイスキャンセリング装置。
【請求項６】
有線を介して携帯端末に接続可能な音声信号通信手段を更に有し、
前記マイクによって入力された第１の言語の音声信号を、前記携帯端末へ送信し、
前記携帯端末から受信した第２の言語の音声信号を、前記信号処理手段に加えて、
口から発声された第１の言語の音声信号が抑制されると共に、第１の言語の音声信号の通訳となる第２の言語の音声信号が前記スピーカから発声される
ことを特徴とする請求項１から５のいずれか１項に記載のボイスキャンセリング装置。
【請求項７】
人の頭部（後頭部又は耳部）に着脱可能なヘッドセットについて、人の口の前近傍に位置するように設置されている
ことを特徴とする請求項１から６のいずれか１項に記載のボイスキャンセリング装置。
【請求項８】
口が近傍に位置するマイクを有する携帯端末について、人の口の前近傍に前記スピーカが位置するように設置されている
ことを特徴とする請求項１から６のいずれか１項に記載のボイスキャンセリング装置。
【請求項９】
手袋について、手の甲側に前記スピーカが配置され、手の平側に前記マイクが配置されるように設置されており、手の平で口の前を覆った際に作用させる
ことを特徴とする請求項１から６のいずれか１項に記載のボイスキャンセリング装置。
【請求項１０】
人の口の前を覆うマスクについて、表面に前記スピーカが配置され、口側の裏面に前記マイクが配置されるように設置されている
ことを特徴とする請求項１から６のいずれか１項に記載のボイスキャンセリング装置。
【発明の詳細な説明】
【技術分野】
【０００１】
本発明は、ユーザの発話音声に対する音声信号処理の技術に関する。
【背景技術】
【０００２】
近年、ディジタル信号処理技術の発展に伴って、多様な用途に音声信号処理技術の需要が高まっている。商用ベースのサラウンドオーディオ機器にあっても、「３次元音声信号処理」が用いられてきている。３次元音声信号処理とは、一般的に、リスニングルームやシアターにおけるエンターテイメントの用途に適用したものであるが、ヒューマンインターフェースの用途にも適用が検討されてきている。具体的には、テレコミュニケーション、バーチャルリアリティ、視覚障害又は聴覚障害のある人の支援技術などに適用されてきている。
【０００３】
３次元音声信号処理の再生方式によれば、以下の２つの方式に分類される。
周辺環境に発声する「スピーカ方式」
耳の周辺で発声する「ヘッドホン方式」
【０００４】
「スピーカ方式」によれば、更に以下の２つの方式に分類される。
複数のスピーカを、聴取者を取り囲んで離散配置したステレオフォニック再生方式
複数のスピーカを、直線状又は円弧状に密集配置したスピーカアレイ再生方式
スピーカアレイ再生方式よれば、複数のスピーカそれぞれに与える音声信号の振幅や位相を適宜調整することによって、任意の波面を生成することができる（例えば特許文献１及び２参照）。具体的には、音場に対して、指向性を持たせたり、所望位置の音圧を高めたり又は低めたりすることができる。
【０００５】
「ヘッドフォン方式」によれば、ユーザは情報機器を常に携帯し、屋内／屋外を問わず様々な場所で、音楽を聴くことができる。音楽を聴く場合、ヘッドフォン方式についてノイズキャンセラやノイズサプレッサのようなヒューマンインターフェース技術を適用することができる。
【０００６】
携帯型情報機器が、スマートフォンのような携帯電話機である場合、相手方と電話で会話するために、ユーザの発話音声をマイクで収音する。但し、街頭、車内、駅のプラットホームのような雑音環境下では、ハンドセットやヘッドセットなどの口元に近接したマイクを用いても、ユーザの発話音声に、周辺雑音が妨害音として混入してしまうことがある。そのために、マイクにノイズキャンセラやノイズサプレッサの技術を適用した場合、以下の２つの方式に分類できる。
単一マイク方式                ：雑音抑圧性能が低い
複数マイク方式（マイクアレイ）：雑音抑圧性能が高い
【０００７】
「マイクアレイ」とは、空間的に配置された複数のマイクそれぞれの受音信号について、マイクとその音源の空間的な位置関係に依存した時間差や振幅差を記録する（例えば非特許文献１参照）。この技術によれば、これらの時間差や振幅差の統計情報を用いて、目的音のみを選択的に収音し、又は、目的音と妨害音を分離することができる。
【０００８】
他の実施形態として、ウェアラブル型の音声入出力装置も提案されている（例えば特許文献３参照）。
【先行技術文献】
【特許文献】
【０００９】
【特許文献１】特開２００９−２３１９８０号公報
【特許文献２】特開２００９−２００５７５号公報
【特許文献３】特表２００１−５２３０８０号公報
【非特許文献】
【００１０】
【非特許文献１】青木 真理子、古家 賢一、「騒音下音声強調における空間情報の利用について」、電子情報通信学会技術研究報告. EA, 応用音声 102(33), 23-30, 2002-04-19、[online]、［平成２６年６月３０日検索］、インターネット＜URL:http://ci.nii.ac.jp/naid/110004023617＞
【００１１】
【非特許文献２】木下慶介、吉岡拓也、中谷智弘、「音声のブラインド残響除去：最新の研究動向」、ＩＥＩＣＥ Fundamentals Review vol.4 No.4、[online]、［平成２６年６月３０日検索］、インターネット＜http://w2.gakkai-web.net/gakkai/ieice/vol4no4pdf/vol4no4_301.pdf＞
【発明の概要】
【発明が解決しようとする課題】
【００１２】
ユーザの発話音声は、発話した瞬間から、その音波が３次元空間に放射される。そのために、ユーザの発話音声は、通常、周囲に漏れ、他人に聞き取られる可能性がある。
【００１３】
しかしながら、スマートフォンを用いて電話で会話しているユーザは、その会話内容を、周囲の他人に聞き取られたくないと考える。一方で、他人も、そのユーザが電話で会話している音声を非常に迷惑に感じる。そのために、電車両内や喫茶店内で、携帯電話による音声通話を禁止している場合も多い。
【００１４】
これに対し、本願の発明者らは、ユーザ自身の発話音声が周囲に漏れず、他人に聞き取れない程度に抑圧することはできないか？と考えた。これによって、ユーザは、周辺環境を気にすることなく、スマートフォンを用いて電話で音声会話をすることができる。
【００１５】
そこで、本発明は、ユーザ自身の発話音声が周囲に漏れず、他人に聞き取れない程度に抑圧することができるボイスキャンセリング装置を提供することを目的とする。
【課題を解決するための手段】
【００１６】
本発明によれば、人の口の周辺に配置され、発話音声を抑制するボイスキャンセリング装置であって、
発声方向口側に向かって、発声された第１の音声信号を入力するマイクと、
発声方向外側に向かって、第２の音声信号を出力するスピーカと、
マイクから第１の音声信号を入力し、第１の音声信号を逆位相化した第２の音声信号を生成し、第２の音声信号をスピーカへ出力する信号処理手段と
を有することを特徴とする。
【００１７】
本発明のボイスキャンセリング装置における他の実施形態によれば、
相互に逆向きに設置されたマイクとスピーカとの間の距離ｄが、マイクに第１の音声信号が入力され、信号処理手段を介して第２の音声信号がスピーカから出力されるまでの入出力遅延時間Ｔに、音波速度Ｖを乗算した距離Ｄよりも短くなる
ように設置されることも好ましい。
【００１８】
本発明のボイスキャンセリング装置における他の実施形態によれば、
信号処理手段は、遅延を生じる帯域フィルタを備えることなく、距離ｄ＜距離Ｄとなる入出力遅延時間Ｔを達成する高サンプリングレートで、Ａ／Ｄ変換処理と逆位相化処理とＤ／Ａ変換処理とを実行することも好ましい。
【００１９】
本発明のボイスキャンセリング装置における他の実施形態によれば、
信号処理手段は、第１の音声信号に音声信号特性Ｗを畳み込むことによって第２の音声信号を生成し、
当該ボイスキャンセリング装置に、１つ以上のＮ個のスピーカが、口を中心として弧状に設置されており、
音声伝達特性Ｗは、口から放射方向外側に離れた任意面の複数のＭ個の任意面の測定マイクを用いて、Ｍ＝Ｎの関係にある場合、以下の式によって算出される
Ｗ＝−Ｇ−Ｇ０
Ｇ−任意面の測定マイクが、当該ボイスキャンセリング装置のスピーカから
出力された音声信号を収音した際の音声伝達特性の逆行列
Ｇ０任意面の測定マイクが、人の口から発声された音声信号を収音した際の
音声伝達特性の転置行列
ことも好ましい。
【００２０】
本発明のボイスキャンセリング装置における他の実施形態によれば、
信号処理手段は、第１の音声信号に音声信号特性Ｗを畳み込むことによって第２の音声信号を生成し、
当該ボイスキャンセリング装置に、１つ以上のＮ個のスピーカが、口を中心として弧状に設置されており、
音声伝達特性Ｗは、口から放射方向外側に離れた任意面の複数のＭ個の任意面の測定マイクを用いて、Ｍ＞Ｎの関係にある場合、以下の式によって算出される
Ｗ＝−Ｇ＋Ｇ０
Ｇ＋任意面の測定マイクが、当該ボイスキャンセリング装置のスピーカから
出力された音声信号を収音した際の音声伝達特性の
Moore-Penroseの疑似逆行列
Ｇ０任意面の測定マイクが、人の口から発声された音声信号を収音した際の
音声伝達特性の転置行列
ことも好ましい。
【００２１】
本発明のボイスキャンセリング装置における他の実施形態によれば、
有線を介して携帯端末に接続可能な音声信号通信手段を更に有し、
マイクによって入力された第１の言語の音声信号を、携帯端末へ送信し、
携帯端末から受信した第２の言語の音声信号を、信号処理手段に加えて、
口から発声された第１の言語の音声信号が抑制されると共に、第１の言語の音声信号の通訳となる第２の言語の音声信号がスピーカから発声される
ことも好ましい。
【００２２】
本発明のボイスキャンセリング装置における他の実施形態によれば、
人の頭部（後頭部又は耳部）に着脱可能なヘッドセットについて、人の口の前近傍に位置するように設置されていることも好ましい。
【００２３】
本発明のボイスキャンセリング装置における他の実施形態によれば、
口が近傍に位置するマイクを有する携帯端末について、人の口の前近傍にスピーカが位置するように設置されていることも好ましい。
【００２４】
本発明のボイスキャンセリング装置における他の実施形態によれば、
手袋について、手の甲側にスピーカが配置され、手の平側にマイクが配置されるように設置されており、手の平で口の前を覆った際に作用させることも好ましい。
【００２５】
本発明のボイスキャンセリング装置における他の実施形態によれば、
人の口の前を覆うマスクについて、表面にスピーカが配置され、口側の裏面にマイクが配置されるように設置されていることも好ましい。
【発明の効果】
【００２６】
本発明のボイスキャンセリング装置によれば、ユーザ自身の発話音声が周囲に漏れず、他人に聞き取れない程度に抑圧することができる。
【図面の簡単な説明】
【００２７】
【図１】本発明におけるボイスキャンセリング装置の外観を表す構成図である。
【図２】発声音波の伝搬を表す説明図である。
【図３】本発明のボイスキャンセリング装置の機能構成図である。
【図４】任意面の測定マイクによる音声伝達特性の測定態様図である。
【図５】ボイスキャンセリング装置を用いて、任意面の測定マイクによる音声伝達特性の測定態様図である。
【図６】本発明のボイスキャンセリング装置によって抑制された、発声音波の伝搬を表す説明図である。
【図７】本発明における発声音声の抑制を表すグラフである。
【図８】携帯端末にボイスキャンセリング装置を搭載した使用態様図である。
【図９】手袋にボイスキャンセリング装置を搭載した使用態様図である。
【図１０】マスクにボイスキャンセリング装置を搭載した使用態様図である。
【発明を実施するための形態】
【００２８】
以下、本発明の実施の形態について、図面を用いて詳細に説明する。
【００２９】
図１は、本発明におけるボイスキャンセリング装置の外観を表す構成図である。
【００３０】
ボイスキャンセリング装置１は、ユーザの発話音声を抑制するべく、口周辺に配置される。そのために、ボイスキャンセリング装置１は、人の頭部（後頭部又は耳部）に着脱可能なヘッドセットに取り付けられる。ヘッドセットは、例えば棒状であって、左右の耳介にそれぞれ引っかけて、後頭部又は後頸部に固定される。保持部は、左右の耳介からそれぞれ顔の頬側面を経て、口の前近傍に位置する部分に、ボイスキャンセリング装置１を固定配置する。
【００３１】
ボイスキャンセリング装置１は、マイク１１と、スピーカ１２とを有する。
マイク１１：発声方向口側に向かって配置され、口から発声された第１の音声信号を
収音する。
スピーカ１２：発声方向外側に向かって配置され、第２の音声信号を出力する。
【００３２】
ボイスキャンセリング装置１は、有線を介して、スマートフォンのような携帯端末２に接続されるものであってもよい。これによって、スマートフォンのユーザインタフェース（例えばタッチパネルディスプレイ）から、ボイスキャンセリング装置１を、ユーザ操作に応じて制御することができる。
【００３３】
図２は、発声音波の伝搬を表す説明図である。
【００３４】
音波とは、一般に、空中を伝搬する弾性波のことをいう。波の性質として、反射、屈折、回折及び干渉がある。このうち、反射、屈折、回折は、ホイヘンスの原理で説明され、干渉は、重ね合わせの原理で説明される。重ね合わせの原理は、「２つ以上の進行波が媒質中を進むとき、任意の位置の合成波の変化は、個々の波による変位の代数和で与えられる。」というものである。一般に、「アクティブノイズキャンセラ／アクティブノイズサプレッサ」と称される技術は、この原理に基づいている。ボイスキャンセリング装置１の複数のスピーカ１２は、図２におけるユーザの口からの音波放射方向と一致するように配置されることが好ましい。
【００３５】
図３は、本発明のボイスキャンセリング装置の機能構成図である。
【００３６】
図３によれば、ボイスキャンセリング装置１は、マイク１１側のＡ／Ｄ変換部１０１と、スピーカ１２毎の信号処理部１０２及びＤ／Ａ変換部１０３と、音声信号通信部１３とを有する。ボイスキャンセリング装置１は、ユーザの口から放射された音波の広がりを、１つ以上のスピーカからその逆位相の音波を放射することによって、打ち消すことができる。
【００３７】
Ａ／Ｄ変換部１０１は、マイク１１から入力したアナログ信号（第１の音声信号）をデジタル信号に変換し、そのデジタル信号を各信号処理部１０２へ出力する。
各信号処理部１０２は、例えばＤＳＰ(Digital Signal Processor)によって構成され、Ａ／Ｄ変換部１０１から入力した第１のデジタル信号を逆位相化した第２のデジタル信号を生成する。信号処理部１０２は、第１のデジタル信号に、スピーカ１２毎に異なる音声伝達特性Ｗiを畳み込むことによって、スピーカ１２毎の第２のデジタル信号を出力する。第２のデジタル信号はそれぞれ、スピーカ１２毎のＤ／Ａ変換部１０３へ出力される。
各Ｄ／Ａ変換部１０３は、信号処理部１０２から入力したデジタル信号（第２の音声信号）をアナログ信号に変換し、そのアナログ信号をスピーカ１２へ出力する。
【００３８】
ここで、本発明の特徴ある構成として、相互に逆向きに設置されたマイクとスピーカとの間の距離ｄが、以下の関係となるように設置される。
距離ｄ  ＜  距離Ｄ（＝入出力遅延時間Ｔ×音波速度Ｖ）
入出力遅延時間Ｔ：マイク１１に音声信号が入力され、逆位相化された音声信号が
スピーカ１２から出力されるまで時間
即ち、マイク１１がユーザの発話音声を取得してから、スピーカ１２から放射するまでの処理時間を確保しようとしている。
【００３９】
入出力遅延は、主に、Ａ／Ｄ変換部及びＤ／Ａ変換部の前段及び後段に配置されるローパスフィルタの群によって生じる。例えば、ΔΣ型のＡ／Ｄ変換部及びＤ／Ａ変換部におけるデシメーションフィルタ／インタポレーションフィルタによって生じる。このような帯域フィルタを備えた場合、距離ｄ＜距離Ｄに構成することは難しい。
【００４０】
これに対し、本発明のボイスキャンセリング装置１によれば、距離ｄ＜距離Ｄに構成するために、「帯域フィルタ」を備えていない。また、信号処理部１０２は、帯域フィルタを備えないことによって生じるエイリアシングに対して、高サンプリングレートで、Ａ／Ｄ変換処理と逆位相化処理とＤ／Ａ変換処理とを実行する。これによって、距離ｄ＜距離Ｄとなる入出力遅延時間Ｔ（１サンプルの最小遅延を短くする）を達成する。
【００４１】
音波速度Ｖ＝340m/s（気温依存）とした場合、サンプリングレート、入出力遅延時間及び距離Ｄの関係は、以下のようになる。
［サンプリングレート］  ［入出力遅延時間］  ［距離Ｄ］  ［距離ｄ＜Ｄ］
2kHz                  500us          約170mm      大きすぎる
8kHz                  125us          約42.5mm     大きすぎる
48kHz                  20us          約7mm        妥当
192kHz                  5us          約2mm        最適
マイク１１とスピーカ１２との間の距離ｄが長くなるほど、ユーザの口元周辺で音声を打ち消すことができないために、漏れが大きくなる。また、距離ｄが長くなるほど、ユーザの口元周辺のボイスキャンセリング装置１のデザインにも影響する。
【００４２】
＜信号処理部１０２の音声伝達特性Ｗi＞
図４は、任意面の測定マイクによる音声伝達特性の測定態様図である。
図５は、ボイスキャンセリング装置を用いて、任意面の測定マイクによる音声伝達特性の測定態様図である。
【００４３】
信号処理部１０２は、逆位相化のスピーカ１２毎の音声伝達特性を、予め記憶している。具体的には、音声伝達特性は、ユーザの発声方向外側に向かって配置された各スピーカ１２と、任意面上に配置された複数の測定マイクとの間で、予め計測されたものである。
【００４４】
図４及び図５によれば、ユーザの顔から離隔した任意面上に、複数の測定マイクが配置されている。各測定マイクは、図４によれば、ユーザの口から発声された音声信号を収音しており、図５によれば、ボイスキャンセリング装置１の各スピーカ１２から出力された音声信号を収音している。
【００４５】
音声伝達特性Ｗは、口から放射方向外側に離れた任意面の複数のＭ個の任意面の測定マイクを用いて、Ｍ＝Ｎの関係にある場合、以下の式によって算出される
Ｗ＝−Ｇ−Ｇ０
Ｇ−：任意面の測定マイクが、当該ボイスキャンセリング装置のスピーカから
出力された音声信号を収音した際の音声伝達特性の逆行列
Ｇ０：任意面の測定マイクが、人の口から発声された音声信号を収音した際の
音声伝達特性の転置行列
【数１】
2015187694.tif 000003
【００４６】
一方で、音声伝達特性Ｗは、口から放射方向外側に離れた任意面の複数のＭ個の任意面の測定マイクを用いて、Ｍ＞Ｎの関係にある場合、以下の式によって算出される
Ｗ＝−Ｇ＋Ｇ０
Ｇ＋：任意面の測定マイクが、当該ボイスキャンセリング装置のスピーカから
発声された音声信号を収音した際の、
音声伝達特性のMoore-Penroseの疑似逆行列（例えば非特許文献２参照）
Ｇ０：任意面の測定マイクが、人の口から発声された音声信号を収音した際の
音声伝達特性の転置行列
【００４７】
具体的には、Ｇ０のインパルス応答と、Ｇ−又はＧ＋のインパルス応答とを用いて、任意面で逆位相となって打ち消されるインパルス応答（音声伝達特性Ｗ）を算出する。
【００４８】
図４及び図５によれば、口周辺に設置される４（＝Ｎ）個のスピーカ１２から、例えば０．５ｍ離れた任意面の１６個（＝Ｍ）の測定マイクまでの複数の音声伝達特性Ｗ1〜Ｗ4が算出される。具体的には、ヘッドアンドトルソシミュレータを用いることも好ましい。スピーカ毎の信号処理部１０２それぞれが、各音声伝達特性Ｗ1〜Ｗ4によって、マイク１１から収音した音声信号に畳み込む。これによって、各スピーカ１２から出力される音声信号は、ユーザの発話音声を任意面で抑制するように作用する。そして、ユーザの発話音声が、他人に聞き取れないように抑制される。
【００４９】
図６は、本発明のボイスキャンセリング装置によって抑制された、発声音波の伝搬を表す説明図である。
【００５０】
図６によれば、ボイスキャンセリング装置１に取り付けられたＮ（＞１）個のスピーカは、口を中心として弧状に設置されている。破線は、聞き取れない程度に抑圧された音波の広がりを表す。図２と図６とを比較して、音波の広がりが抑制されていることが理解できる。
【００５１】
図７は、本発明における発声音声の抑制を表すグラフである。
【００５２】
図７のグラフは、横軸として周波数[Hz]を、縦軸として対数振幅スペクトル[dB]を表し、３０秒の音声のオーバーオール平均がプロットされている。図７によれば、上側の線がボイスキャンセリング無しの場合を表し、下側の線がボイスキャンセリング有りの場合を表す。ここで、周波数１５０Ｈｚ〜１ｋＨｚ程度までで、６ｄＢ程度、抑圧できていることが確認できる。また、騒音レベルでは、２０ｄＢＡ近くまで抑圧できている。尚、スピーカ１２は、約１６ｃｍ間隔で配置され、空間エイリアシング定理によって、最高周波数は１ｋＨｚ程度となっている。
【００５３】
図８は、携帯端末にボイスキャンセリング装置を搭載した使用態様図である。
【００５４】
図８によれば、スマートフォンのように、口が近傍に位置するマイクを有する携帯端末について、ボイスキャンセリング装置１が、口の前近傍にスピーカ１２が位置するように配置される。ボイスキャンセリング装置１のスピーカ１２が、携帯端末から伸長するものであってもよい。ユーザは、スマートフォンを用いて電話している際に、その発話音声がキャンセリングされる。
【００５５】
図９は、手袋にボイスキャンセリング装置を搭載した使用態様図である。
【００５６】
図９によれば、ボイスキャンセリング装置１がユーザの手袋となっている。手袋について、手の甲側にスピーカ１２が配置され、手の平側にマイク１１が配置されるように設置されており、手の平で口の前を覆った際に作用させる。人が電話をする態様として、口元を手で覆って隠すような仕草をする。手の甲側のスピーカ１２からの出力される音声によって、ユーザの発話音声がキャンセリングされる。
【００５７】
図１０は、マスクにボイスキャンセリング装置を搭載した使用態様図である。
【００５８】
図１０によれば、ボイスキャンセリング装置１がマスクとなっている。人の口の前を覆うマスクについて、表面にスピーカ１２が配置され、口側の裏面にマイク１１が配置されるように設置されている。表面のスピーカ１２からの出力される音声によって、ユーザの発話音声がキャンセリングされる。
【００５９】
他の実施形態として、本発明のボイスキャンセリング装置は、同時通訳の用途に適する。ボイスキャンセリング装置は、有線を介して携帯端末に接続可能な音声信号通信部１３を有する。
（Ｓ１）ボイスキャンセリング装置１は、マイク１１によって入力された日本語（第１の言語）の音声信号を、携帯端末２へ送信する。
（Ｓ２）携帯端末２は、その音声信号を音声信号処理によって解析し、例えば外部の通訳サーバを介して翻訳する（Speech-to-Speechの音声翻訳）。日本語から英語（第２の言語）に同時翻訳され、携帯端末２は、その英語の音声信号を、ボイスキャンセリング装置１へ送信する。
（Ｓ３）ボイスキャンセリング装置１は、スピーカ１２から、マイク１１によって取得した日本語の音声信号をキャンセルすると共に、携帯端末２から受信した英語の音声信号を発声する。これによって、そのユーザの口から、日本語が抑制され、英語が発声されているように、他人は感じることができる。これは、Face-to-Faceのコミュニケーションの用途に適する。
【００６０】
以上、詳細に説明したように、本発明のボイスキャンセリング装置によれば、ユーザ自身の発話音声が周囲に漏れず、他人に聞き取れない程度に抑圧することができる。
【００６１】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６２】
１  ボイスキャンセリング装置
１１  マイク
１２  スピーカ
１３  音声信号通信部
１０１  Ａ／Ｄ変換部
１０２  信号処理部
１０３  Ｄ／Ａ変換部
２  スマートフォン、携帯端末
【図１】
2015187694.tif 000004
【図２】
2015187694.tif 000005
【図３】
2015187694.tif 000006
【図４】
2015187694.tif 000007
【図５】
2015187694.tif 000008
【図６】
2015187694.tif 000009
【図７】
2015187694.tif 000010
【図８】
2015187694.tif 000011
【図９】
2015187694.tif 000012
【図１０】
2015187694.tif 000013